【手続補正書】
【提出日】平成26年11月19日(2014.11.19)
【手続補正１】
【補正対象書類名】特許請求の範囲
【補正対象項目名】全文
【補正方法】変更
【補正の内容】
【特許請求の範囲】
【請求項１】
クライオポンプを備えるクライオポンプシステムであって、前記クライオポンプが、
第１の冷却段と、
前記第１の冷却段に接続される第２の冷却段であって、少なくとも約２標準リットルの水素吸着容量をもつガス吸着器を有する第２の冷却段と、
前記第２の冷却段の蓄熱容量であって、全負荷状態になるまでのクライオポンプの再生中の前記第２の冷却段の暖機において、発火安全性限界を満たすように前記クライオポンプ内の水素圧力を制御することであって、実質的にすべての水素が脱離されて前記クライオポンプから排気されるまで前記水素圧力を約７トル未満に制御することと、前記クライオポンプに連結された低減システムの限界の範囲内に排気ライン内の水素流量を制御することとが可能なほど十分である、前記蓄熱容量とを備えるクライオポンプシステム。
【請求項２】
請求項１に記載のクライオポンプシステムにおいて、
前記水素吸着容量が少なくとも約５標準リットルであるクライオポンプシステム。
【請求項３】
請求項１に記載のクライオポンプシステムにおいて、
実質的にすべての水素が脱離されて前記クライオポンプから排気されるまで、前記水素流量が１分につき約２標準リットル未満に制御されるクライオポンプシステム。
【請求項４】
請求項１に記載のクライオポンプシステムにおいて、
前記クライオポンプを制御するための電子制御部であって、再生時間中に、暖機時間において、前記クライオポンプの冷凍機モーターをオフにするようにプログラムされた電子機器を有する、前記電子制御部をさらに備えるクライオポンプシステム。
【請求項５】
請求項４に記載のクライオポンプシステムにおいて、
前記電子機器が、第２の冷却段の温度が前記暖機時間内に閾値温度よりも高くなった場合、前記再生時間中に前記冷凍機をオンにするように、さらにプログラムされるクライオポンプシステム。
【請求項６】
請求項５に記載のクライオポンプシステムにおいて、
前記閾値温度が約４０Ｋ以上であるクライオポンプシステム。
【請求項７】
請求項５に記載のクライオポンプシステムにおいて、
前記冷凍機が、前記再生時間の少なくとも一部において最大冷凍をもたらすクライオポンプシステム。
【請求項８】
請求項５に記載のクライオポンプシステムにおいて、
実質的にすべての水素が脱離されて前記クライオポンプから排気されるまで、前記冷凍機がオンにされるクライオポンプシステム。
【請求項９】
請求項４に記載のクライオポンプシステムにおいて、
前記再生時間が、実質的にすべての水素が脱離されて前記クライオポンプから排気されるまでの時間であるクライオポンプシステム。
【請求項１０】
請求項４に記載のクライオポンプシステムにおいて、
前記暖機時間が少なくとも約４分であるクライオポンプシステム。
【請求項１１】
請求項４に記載のクライオポンプシステムにおいて、
前記暖機時間が少なくとも約５分であるクライオポンプシステム。
【請求項１２】
請求項４から１１のいずれか一項に記載のクライオポンプシステムにおいて、
前記電子機器が、再生時間の初期の部分において、前記クライオポンプの前記第２の冷却段を加熱するように、さらにプログラムされるクライオポンプシステム。
【請求項１３】
請求項１２に記載のクライオポンプシステムにおいて、
前記電子機器が、約２５秒以下の間、前記クライオポンプの前記第２段を加熱するように、プログラムされるクライオポンプシステム。
【請求項１４】
請求項１に記載のクライオポンプシステムにおいて、
前記蓄熱容量が、約１０Ｋ〜約５０Ｋの温度範囲において少なくとも約１０，０００ジュールであるクライオポンプシステム。
【請求項１５】
請求項１４に記載のクライオポンプシステムにおいて、
前記蓄熱容量が少なくとも約１２，０００ジュールであるクライオポンプシステム。
【請求項１６】
請求項１５に記載のクライオポンプシステムにおいて、
前記蓄熱容量が少なくとも約１５，０００ジュールであるクライオポンプシステム。
【請求項１７】
請求項１に記載のクライオポンプシステムにおいて、
前記蓄熱容量と前記水素吸着容量との比が、約１０Ｋ〜約５０Ｋの温度範囲において少なくとも約１０００ジュール／リットルであるクライオポンプシステム。
【請求項１８】
請求項１に記載のクライオポンプシステムにおいて、
前記クライオポンプの再生中の前記第２の冷却段の約２０Ｋの温度から約５０Ｋの温度への暖機が、約４分超を必要とするクライオポンプシステム。
【請求項１９】
請求項１８に記載のクライオポンプシステムにおいて、
前記クライオポンプの再生中の前記第２の冷却段の約２０Ｋの温度から約５０Ｋの温度への暖機が、約５分超を必要とするクライオポンプシステム。
【請求項２０】
クライオポンプであって、
第１の冷却段と、
前記第１の冷却段に接続される第２の冷却段であって、少なくとも約２標準リットルの水素吸着容量をもつガス吸着器を有する第２の冷却段と、
約１０Ｋ〜約５０Ｋの温度範囲において少なくとも約１０，０００ジュールである前記第２の冷却段の蓄熱容量とを備えるクライオポンプ。
【請求項２１】
請求項２０に記載のクライオポンプにおいて、
前記水素吸着容量が少なくとも約５標準リットルであるクライオポンプ。
【請求項２２】
請求項２０に記載のクライオポンプにおいて、
前記蓄熱容量が少なくとも約１２，０００ジュールであるクライオポンプ。
【請求項２３】
請求項２２に記載のクライオポンプにおいて、
前記蓄熱容量が少なくとも約１５，０００ジュールであるクライオポンプ。
【請求項２４】
水素をクライオポンプする方法であって、
少なくとも約２標準リットルの水素吸着容量をもつガス吸着器を有するクライオポンプを、水素が吸着される温度に冷却することと、
再生時間中に前記クライオポンプから水素を脱離することとを備え、前記クライオポンプが、全負荷状態になるまでのクライオポンプの暖機において、発火安全性限界を満たすように水素圧力を制御することであって、実質的にすべての水素が脱離されて前記クライオポンプから排気されるまで前記再生時間中の前記水素圧力を約７トル未満に制御することと、前記クライオポンプに連結された低減システムの限界の範囲内に排気ライン内の水素流量を制御することとが可能なほど十分である蓄熱容量をもつ方法。
【請求項２５】
請求項２４に記載の方法において、
前記ガス吸着器が少なくとも約５標準リットルの水素吸着容量をもつ方法。
【請求項２６】
請求項２４に記載の方法において、
実質的にすべての水素が脱離されて前記クライオポンプから排気されるまで、前記再生時間中の前記水素流量が１分につき約２標準リットル未満に制御される方法。
【請求項２７】
請求項２４に記載の方法において、
暖機時間において、前記クライオポンプの冷凍機モーターをオフにすることをさらに備える方法。
【請求項２８】
請求項２７に記載の方法において、
前記暖機時間が少なくとも約４分である方法。
【請求項２９】
請求項２８に記載の方法において、
前記暖機時間が少なくとも約５分である方法。
【請求項３０】
請求項２７に記載の方法において、
第２の冷却段の温度が前記暖機時間内に閾値温度よりも高くなった場合、前記再生時間中に前記冷凍機をオンにすることをさらに備える方法。
【請求項３１】
請求項３０に記載の方法において、
前記閾値温度が約４０Ｋ以上である方法。
【請求項３２】
請求項３０に記載の方法において、
前記冷凍機が、前記再生時間の少なくとも一部において最大冷凍をもたらす方法。
【請求項３３】
請求項３０に記載の方法において、
実質的にすべての水素が脱離されて前記クライオポンプから排気されるまで、前記冷凍機がオンにされる方法。
【請求項３４】
請求項２４に記載の方法において、
前記再生時間が、実質的にすべての水素が脱離されて前記クライオポンプから排気されるまでの時間である方法。
【請求項３５】
請求項２４に記載の方法において、
前記蓄熱容量が、約１０Ｋ〜約５０Ｋの温度範囲において少なくとも約１２，０００ジュールである方法。
【請求項３６】
請求項３５に記載の方法において、
前記蓄熱容量が少なくとも約１５，０００ジュールである方法。
【請求項３７】
請求項２４に記載の方法において、
前記蓄熱容量と前記水素吸着容量との比が、約１０Ｋ〜約５０Ｋの温度範囲において少なくとも約１０００ジュール／リットルである方法。
【請求項３８】
請求項２４から３７のいずれか一項に記載の方法において、
前記再生時間の初期の部分において、前記クライオポンプの前記第２の冷却段を加熱することをさらに備える方法。
【請求項３９】
請求項３８に記載の方法において、
前記クライオポンプの前記第２の冷却段を加熱することが、約２５秒以下の間行われる方法。
【手続補正２】
【補正対象書類名】明細書
【補正対象項目名】００２８
【補正方法】変更
【補正の内容】
【００２８】
本発明をその例示の実施形態を参照して特に図示および説明してきたが、添付の特許請求の範囲に包含される本発明の範囲を逸脱することなく、さまざまな形の変更および詳細がなされ得ることが当業者によって理解されるであろう。
なお、本発明は、実施の態様として以下の内容を含む。
［態様１］
クライオポンプを備えるクライオポンプシステムであって、前記クライオポンプが、
第１の冷却段と、
前記第１の冷却段に接続される第２の冷却段であって、少なくとも約２標準リットルの水素吸着容量をもつガス吸着器を有する第２の冷却段と、
前記第２の冷却段の蓄熱容量であって、全負荷状態になるまでのクライオポンプの再生中の前記第２の冷却段の暖機において、発火安全性限界を満たすように前記クライオポンプ内の水素圧力を制御することと、前記クライオポンプに連結された低減システムの限界の範囲内に排気ライン内の水素流量を制御することとが可能なほど十分である、前記蓄熱容量とを備えるクライオポンプシステム。
［態様２］
態様１に記載のクライオポンプシステムにおいて、
前記水素吸着容量が少なくとも約５標準リットルであるクライオポンプシステム。
［態様３］
態様１に記載のクライオポンプシステムにおいて、
実質的にすべての水素が脱離されて前記クライオポンプから排気されるまで、前記水素圧力が約７トル未満に制御されるクライオポンプシステム。
［態様４］
態様１に記載のクライオポンプシステムにおいて、
実質的にすべての水素が脱離されて前記クライオポンプから排気されるまで、前記水素流量が１分につき約２標準リットル未満に制御されるクライオポンプシステム。
［態様５］
態様１に記載のクライオポンプシステムにおいて、
前記クライオポンプを制御するための電子制御部であって、再生時間中に、暖機時間において、前記クライオポンプの冷凍機モーターをオフにするようにプログラムされた電子機器を有する、前記電子制御部をさらに備えるクライオポンプシステム。
［態様６］
態様５に記載のクライオポンプシステムにおいて、
前記電子機器が、第２の冷却段の温度が前記暖機時間内に閾値温度よりも高くなった場合、前記再生時間中に前記冷凍機をオンにするように、さらにプログラムされるクライオポンプシステム。
［態様７］
態様６に記載のクライオポンプシステムにおいて、
前記閾値温度が約４０Ｋ以上であるクライオポンプシステム。
［態様８］
態様６に記載のクライオポンプシステムにおいて、
前記冷凍機が、前記再生時間の少なくとも一部において最大冷凍をもたらすクライオポンプシステム。
［態様９］
態様６に記載のクライオポンプシステムにおいて、
実質的にすべての水素が脱離されて前記クライオポンプから排気されるまで、前記冷凍機がオンにされるクライオポンプシステム。
［態様１０］
態様５に記載のクライオポンプシステムにおいて、
前記再生時間が、実質的にすべての水素が脱離されて前記クライオポンプから排気されるまでの時間であるクライオポンプシステム。
［態様１１］
態様５に記載のクライオポンプシステムにおいて、
前記暖機時間が少なくとも約４分であるクライオポンプシステム。
［態様１２］
態様５に記載のクライオポンプシステムにおいて、
前記暖機時間が少なくとも約５分であるクライオポンプシステム。
［態様１３］
態様５から１２のいずれか一態様に記載のクライオポンプシステムにおいて、
前記電子機器が、再生時間の初期の部分において、前記クライオポンプの前記第２の冷却段を加熱するように、さらにプログラムされるクライオポンプシステム。
［態様１４］
態様１３に記載のクライオポンプシステムにおいて、
前記電子機器が、約２５秒以下の間、前記クライオポンプの前記第２段を加熱するように、プログラムされるクライオポンプシステム。
［態様１５］
態様１に記載のクライオポンプシステムにおいて、
前記蓄熱容量が、約１０Ｋ〜約５０Ｋの温度範囲において少なくとも約１０，０００ジュールであるクライオポンプシステム。
［態様１６］
態様１５に記載のクライオポンプシステムにおいて、
前記蓄熱容量が少なくとも約１２，０００ジュールであるクライオポンプシステム。
［態様１７］
態様１６に記載のクライオポンプシステムにおいて、
前記蓄熱容量が少なくとも約１５，０００ジュールであるクライオポンプシステム。
［態様１８］
態様１に記載のクライオポンプシステムにおいて、
前記蓄熱容量と前記水素吸着容量との比が、約１０Ｋ〜約５０Ｋの温度範囲において少なくとも約１０００ジュール／リットルであるクライオポンプシステム。
［態様１９］
態様１に記載のクライオポンプシステムにおいて、
前記クライオポンプの再生中の前記第２の冷却段の約２０Ｋの温度から約５０Ｋの温度への暖機が、約４分超を必要とするクライオポンプシステム。
［態様２０］
態様１９に記載のクライオポンプシステムにおいて、
前記クライオポンプの再生中の前記第２の冷却段の約２０Ｋの温度から約５０Ｋの温度への暖機が、約５分超を必要とするクライオポンプシステム。
［態様２１］
クライオポンプであって、
第１の冷却段と、
前記第１の冷却段に接続される第２の冷却段であって、少なくとも約２標準リットルの水素吸着容量をもつガス吸着器を有する第２の冷却段と、
約１０Ｋ〜約５０Ｋの温度範囲において少なくとも約１０，０００ジュールである前記第２の冷却段の蓄熱容量とを備えるクライオポンプ。
［態様２２］
態様２１に記載のクライオポンプシステムにおいて、
前記水素吸着容量が少なくとも約５標準リットルであるクライオポンプシステム。
［態様２３］
態様２１に記載のクライオポンプシステムにおいて、
前記蓄熱容量が少なくとも約１２，０００ジュールであるクライオポンプシステム。
［態様２４］
態様２３に記載のクライオポンプシステムにおいて、
前記蓄熱容量が少なくとも約１５，０００ジュールであるクライオポンプシステム。
［態様２５］
水素をクライオポンプする方法であって、
少なくとも約２標準リットルの水素吸着容量をもつガス吸着器を有するクライオポンプを、水素が吸着される温度に冷却することと、
再生時間中に前記クライオポンプから水素を脱離することとを備え、前記クライオポンプが、全負荷状態になるまでのクライオポンプの暖機において、発火安全性限界を満たすように水素圧力を制御することと、前記クライオポンプに連結された低減システムの限界の範囲内に排気ライン内の水素流量を制御することとが可能なほど十分である蓄熱容量をもつ方法。
［態様２６］
態様２５に記載の方法において、
前記ガス吸着器が少なくとも約５標準リットルの水素吸着容量をもつ方法。
［態様２７］
態様２５に記載の方法において、
実質的にすべての水素が脱離されて前記クライオポンプから排気されるまで、前記再生時間中の前記水素圧力が約７トル未満に制御される方法。
［態様２８］
態様２５に記載の方法において、
実質的にすべての水素が脱離されて前記クライオポンプから排気されるまで、前記再生時間中の前記水素流量が１分につき約２標準リットル未満に制御される方法。
［態様２９］
態様２５に記載の方法において、
暖機時間において、前記クライオポンプの冷凍機モーターをオフにすることをさらに備える方法。
［態様３０］
態様２９に記載の方法において、
前記暖機時間が少なくとも約４分である方法。
［態様３１］
態様３０に記載の方法において、
前記暖機時間が少なくとも約５分である方法。
［態様３２］
態様２９に記載の方法において、
第２の冷却段の温度が前記暖機時間内に閾値温度よりも高くなった場合、前記再生時間中に前記冷凍機をオンにすることをさらに備える方法。
［態様３３］
態様３２に記載の方法において、
前記閾値温度が約４０Ｋ以上である方法。
［態様３４］
態様３２に記載の方法において、
前記冷凍機が、前記再生時間の少なくとも一部において最大冷凍をもたらす方法。
［態様３５］
態様３２に記載の方法において、
実質的にすべての水素が脱離されて前記クライオポンプから排気されるまで、前記冷凍機がオンにされる方法。
［態様３６］
態様２５に記載の方法において、
前記再生時間が、実質的にすべての水素が脱離されて前記クライオポンプから排気されるまでの時間である方法。
［態様３７］
態様２５に記載の方法において、
前記蓄熱容量が、約１０Ｋ〜約５０Ｋの温度範囲において少なくとも約１２，０００ジュールである方法。
［態様３８］
態様３７に記載の方法において、
前記蓄熱容量が少なくとも約１５，０００ジュールである方法。
［態様３９］
態様２５に記載の方法において、
前記蓄熱容量と前記水素吸着容量との比が、約１０Ｋ〜約５０Ｋの温度範囲において少なくとも約１０００ジュール／リットルである方法。
［態様４０］
態様２５から３９のいずれか一態様に記載の方法において、
前記再生時間の初期の部分において、前記クライオポンプの前記第２の冷却段を加熱することをさらに備える方法。
［態様４１］
態様４０に記載の方法において、
前記クライオポンプの前記第２の冷却段を加熱することが、約２５秒以下の間行われる方法。